(57)【要約】【課題】優れた断熱効果を奏する建物の断熱構造を提供すること。【解決手段】建物Ｈの躯体の外側に内側外装材１が配設され、この内側外装材１の外側に、空気層Ｗを介して外側外装材２が配設された二重壁構造を有する建物Ｈの断熱構造であって、少なくとも、内側外装材１の外面と内面、外側外装材２の外面と内面のうちのいずれかの面には、遮熱塗料３が塗布されている断熱構造とする。【選択図】図１
2014037731.tif 000002
【特許請求の範囲】
【請求項１】
建物の躯体の外側に内側外装材が配設され、この内側外装材の外側に、空気層を介して外側外装材が配設された二重壁構造を有する建物の断熱構造であって、
少なくとも、内側外装材の外面と内面、外側外装材の外面と内面のうちのいずれかの面には、遮熱塗料が塗布されていることを特徴とする建物の断熱構造。
【請求項２】
外側外装材には、空気層と連通する通気口が配設されていることを特徴とする請求項１の建物の断熱構造。
【請求項３】
内側外装材と外側外装材の間には断熱部材が挟持されており、この断熱部材によって、内側外装材と外側外装材との間の空気層が縦方向および／または横方向に分割されて複数の区画が形成されているとともに、隣接する区画間の空気の流れが遮断されていることを特徴とする請求項１または２の建物の断熱構造。
【請求項４】
断熱部材は、縦分割部と横分割部とが交差する格子状に形成されていることを特徴とする請求項１から３のいずれかの建物の断熱構造。
【請求項５】
請求項１から４のいずれかの断熱構造を備えた建物。
【発明の詳細な説明】
【技術分野】
【０００１】
本発明は、建物の断熱構造に関するものである。
【背景技術】
【０００２】
例えば特許文献１では、外壁および屋根の内面側に隙間をあけて外装断熱材を設け、外壁および屋根との隙間を通気層とした通気構造建築物が提案されている。この通気構造建築物では、床下空間と通気層とを連通させることで、通気層を流れる空気によって通気性を向上させるとともに、床下からの地熱、冷気を伝達することで、建物の内部空間では、冬は暖かく、夏は涼しい環境を保つことができるとされている。
【先行技術文献】
【特許文献】
【０００３】
【特許文献１】特開平８−１３５０３７号公報
【発明の概要】
【発明が解決しようとする課題】
【０００４】
しかしながら、特許文献１の通気構造建築物のような通気層による断熱効果は必ずしも十分とは言えず、特に猛暑の日などには、外部の熱が建物の内部空間にまで及び、室温を上昇させる場合がある。このような場合、一般的には、冷房の設定温度を下げるなどして室温の低下を図るが、消費電力の上昇は避けられず、省エネ、節電を実現することは難しい。
【０００５】
本発明は、以上のような事情に鑑みてなされたものであり、優れた断熱効果を有し、省エネ、節電効果の高い建物の断熱構造を提供することを課題としている。
【課題を解決するための手段】
【０００６】
上記の課題を解決するため、本発明の建物の断熱構造は、建物の躯体の外側に内側外装材が配設され、この内側外装材の外側に、空気層を介して外側外装材が配設された二重壁構造を有する建物の断熱構造であって、少なくとも、内側外装材の外面と内面、外側外装材の外面と内面のうちのいずれかの面には、遮熱塗料が塗布されていることを特徴としている。
【０００７】
この建物の断熱構造では、外側外装材には、空気層と連通する通気口が配設されていることが好ましい。
【０００８】
この建物の断熱構造では、内側外装材と外側外装材の間には断熱部材が挟持されており、この断熱部材によって、内側外装材と外側外装材との間の空気層が縦方向および／または横方向に分割されて複数の区画が形成されているとともに、隣接する区画間の空気の流れが遮断されていることがより好ましい。
【０００９】
この建物の断熱構造では、断熱部材は、縦分割部と横分割部とが交差する格子状に形成されていることがさらに好ましい。
【００１０】
本発明の建物は、前記の断熱構造を備えていることを特徴としている。
【発明の効果】
【００１１】
本発明の建物の断熱構造は、優れた遮熱効果を有し、省エネ、節電効果が高く、建物の内部空間の温度を快適な温度に維持することができる。
【図面の簡単な説明】
【００１２】
【図１】本発明の建物の断熱構造の一実施形態を例示した概要図である。
【図２】本発明の建物の断熱構造における内側外装材と外側外装材の一部分を例示する縦断面図である。
【図３】本発明の建物の断熱構造に使用される断熱部材の一実施形態を例示した斜視図である。
【図４】内側外装材と外側外装材の間（空気層）に、図３に例示した断熱部材を複数配設した状態を例示した外側外装材（外壁）側からの内部透視図である。
【発明を実施するための形態】
【００１３】
図１は、本発明の建物の断熱構造の一実施形態を例示した概要図である。図２は、本発明の建物の断熱構造における内側外装材と外側外装材の一部分を例示する縦断面図である。
【００１４】
建物Ｈは、地盤の上に敷設された基礎上に建設されるものであり、梁、柱などによって構成された躯体の外側に内側外装材１が配設され、この内側外装材１の外側に空気層Ｗを介して、外側外装材２が配設されている。すなわち、建物Ｈは、内側外装材１と外側外装材２とが空気層Ｗを介して対向配置された二重壁構造を有している。
【００１５】
内側外装材１および外側外装材２を構成する材料は特に限定されない。具体的には、内側外装材１は、断熱効果の高い材料が好ましく、例えば、木質板、木質合板、プラスチック板、金属板、紙製またはプラスチック製のダンボールや、板状の合成樹脂発泡体、グラスウールなどのうちの１種または２種以上を例示することができる。ここで、「ダンボール」とは、波状材（紙、プラスチックなど）の表面、裏面にシート状の材料（紙、プラスチックなど）を接着することで得られ、内部に空気が内包された構造を有するものをいう。ダンボールには、例えば、波状材による空気が多層に形成されたものや、波状材が表面に露出しているもの（片面ダンボールなどと言われることがある）なども含まれる。また、合成樹脂発泡体には、例えば、発泡スチロール（ポリスチレンフォーム）、硬質発泡ポリエチレン、硬質ウレタン発泡体などの他、ガラスバルーンやシリカバルーンなどの中空体からなる軽量骨材を樹脂バインダーで成形したものなども含まれる。
【００１６】
また、外側外装材２には、例えば、モルタル壁、サイディング壁、コンクリート壁などの外壁（外装材）および、金属板、平ぶき屋根材、かわら屋根材、ストレート屋根材などの屋根（外装材）が含まれる。
【００１７】
そして、建物Ｈは、少なくとも、内側外装材１の外面と内面、外側外装材２の外面と内面のうちのいずれかの面に、遮熱塗料３が塗布されている。ここで、本発明において、内側外装材１、外側外装材２の「外面」とは、建物Ｈの外側に位置する面をいい、「内面」とは、建物Ｈの室内側に位置する面をいう。
【００１８】
図２では、内側外装材１の外面と、外側外装材２の外面および内面とに遮熱塗料３が塗布された形態を例示しているが、本発明の建物Ｈの断熱構造における遮熱塗料３の塗布領域は、このような形態に限定されるものではない。すなわち、例えば、内側外装材１の外面と内面、外側外装材２の外面と内面のすべてに遮熱塗料３を塗布してもよいし、いずれか一つの面に塗布してもよい。ただ、断熱効果の観点からは、少なくとも外側外装材２の外面に遮熱塗料３が塗布されていることが好ましい。
【００１９】
遮熱塗料３は、水性塗料、有機溶媒型塗料、粉体塗料のいずれの形態であってもよいが、溶媒又は分散媒を含む液状塗料であることが望ましい。例えば、遮熱塗料３は、ビヒクルと、ビヒクルを溶解又は分散する液状媒体と、金属粉末とを含むことができる。
【００２０】
ビヒクルとしては、アクリル樹脂、ポリ酢酸ビニル樹脂、塩化ビニル樹脂、塩化ビニリデン樹脂、熱可塑性エラストマなどの熱可塑性樹脂、ＢＲ、ＳＢＲ、ＮＢＲ、ＣＲ、ＥＰＤＭ、フッ素ゴムなどのゴム類など、溶媒又は分散媒が蒸発することで被膜を形成するものを用いることができる。場合によっては、ポリオールとイソシアネートからなるウレタン樹脂、フェノール樹脂、エポキシ樹脂、などの熱硬化性樹脂を用いることもできる。
【００２１】
ビヒクル及び液状媒体としては、水系エマルジョンを用いることが特に好ましい。水系エマルジョンとしては、アクリルエマルジョン、シリコンアクリルエマルジョン、ウレタンエマルジョン、ウレタンアクリルエマルジョン、ＳＢＲエマルジョン、エポキシエマルジョンなどが例示され、また、水ガラス、コロイダルシリカなどの無機バインダも用途に応じて各種選択して用いることができる。
【００２２】
金属粉末は、熱反射性を有するものであって、チタン、アルミニウム、金、銀、インジウム、銅およびこれらの酸化物などの粉末が例示される。また、厳密な意味では金属ではないが、本発明では、表面に金属光輝層を形成し熱反射性を有する、シリカ、ガラス、マイカ、タルクなどの粉末も金属粉末に含むものとする。金属粉末の形状は特に限定されないが、例えば、球状、鱗片状などの形状を例示することができる。さらに、遮熱性を確保するためには、金属粉末は、遮熱塗料３中に２０質量％以上含まれていることが好ましい。
【００２３】
好ましい遮熱塗料３としては、具体的には、遮熱効果に加え、抗菌・消臭効果に優れたものとして、高圧ガス工業株式会社製（発売元n-tech株式会社）「Blue on Tech」などを例示することができる。
【００２４】
遮熱塗料３の塗布厚さは、特に限定されず、遮熱効果を考慮して適宜設計することができる。一応の目安としては、例えば、１０μｍ〜４００μｍ程度の範囲を例示することができる。また、遮熱塗料３の塗布方法も特に限定されず、スプレーによる吹き付けや、ローラーによる塗布などを行うことができる。
【００２５】
建物Ｈは、内側外装材１の外側に、空気層Ｗを介して外側外装材２が配設された二重壁構造を有しているため、空気層Ｗに保持された空気によって外部からの熱や冷気が建物Ｈの室内間に及び難い。さらに、建物Ｈは、少なくとも、内側外装材１の外面と内面、外側外装材の外面と内面のうちのいずれかの面に遮熱塗料３が塗布されているため、外部からの熱が遮断され、建物Ｈの断熱効果がさらに向上している。また、例えば、図２に例示したように、遮熱塗料３を複数の面（３層）に塗布した場合にはさらに遮熱効果は向上する。
【００２６】
本発明の建物の断熱構造は、優れた断熱効果を奏することから、例えば、室内の冷暖房の運転を控えても快適な環境を維持されるため、省エネ、節電効果が高い。
【００２７】
さらに、図１に例示したように、建物Ｈは、外側外装材２の外側と空気層Ｗとを連通する通気口４（下部通気口４a、上部通気口４b）が配設されている。
【００２８】
例えば、下部通気口４aは、外側外装材２の地上付近や床下付近に配設することができ、上部通気口４bは、軒下付近の外側外装材２や屋根付近に配設することができる。
【００２９】
上述したように、空気層Ｗと遮熱塗料３による断熱効果によって、建物Ｈの室内の昇温は抑制されるが、例えば猛暑の日などは、空気層Ｗの空気が昇温し、その熱が建物Ｈの室内に及ぶ可能性がある。しかしながら、下部通気口４aおよび上部通気口４bが設けられている場合には、空気層Ｗに漂っている比較的高い温度の空気が複数の上部通風口から外気へ放出されるとともに、自然対流が促進されて、下部通気口４aを通じて空気層Ｗ内に導入される。このように、高温となった空気層Ｗの空気が上部通気口４bを通して外気に放出される一方、上部よりも低温の下部の外気が下部通気口４aを通して空気層Ｗへ導入される自然対流が発生し、繰り返され、空気層Ｗの温度は、外気温と平衡し、ほぼ同じ温度が維持される。このため、空気層Ｗの温度が低く維持され、建物Ｈの室内の昇温が抑制される。また、下部通気口４aおよび上部通気口４bが設けられていることで通気性が確保されるため、湿気によるカビなどの発生も抑制され、内側外装材１および外側外装材２の腐食なども抑制される。
【００３０】
さらに、図３、図４とともに本発明の建物の断熱構造の一実施形態について説明する。
図３は、本発明の建物の断熱構造に使用される断熱部材の一実施形態を例示した斜視図であり、図４は、内側外装材と外側外装材の間（空気層）に、図３に例示した断熱部材を複数配設した状態を例示した外側外装材（外壁）側からの内部透視図である。
【００３１】
断熱部材５は、方形状の枠部５１の内側において、対向する枠部５１同士を接続する縦分画部５２と横分画部５３とが直交した格子状に形成されており、この縦分画部５２と横分画部５３によって囲まれた空間には、複数の区画Ｓが形成されている。
【００３２】
断熱部材５の材料としては、例えば、プラスチック、金属、紙製またはプラスチック製のダンボール、発泡スチロール（ポリスチレンフォーム）、硬質発泡ポリエチレン、硬質ウレタン発泡体など合成樹脂発泡体などを例示することができる。
【００３３】
断熱部材５の厚さは、内側外装材１と外側外装材２の間（空気層Ｗ）の長さと略等しく形成されている。このため、内側外装材１と外側外装材２の間（空気層Ｗ）において、断熱部材５は、内側外装材１の外面と外側外装材２の内面とに当接した状態で挟持される。
【００３４】
例えば図４に例示したように、複数の断熱部材５を内側外装材１と外側外装材２の間（空気層Ｗ）に連続して配設することで、枠部５１、縦分画部５２および横分画部５３によって、空気層Ｗが複数の区画Ｓを含む格子状に分割された領域が形成される。これによって、断熱部材５が配設された領域では、隣接する区画Ｓ間の空気の流れが遮断されているため、各区画Ｓ内に内包された空気によって断熱効果が向上する。したがって、外気温が高い夏などには、建物Ｈの室内温度の上昇を抑制することができ、外気温が低い冬などには、建物Ｈの室内の温度低下を抑制することができる。
【００３５】
また、断熱部材５と図１に例示した通気口（下部通気口４a、上部通気口４b）とを併設することも有効である。例えば、図１に例示した通気口を配設する場合、外気温が高い夏などには、自然対流による昇温抑制効果が期待できるものの、外気温の低い冬などには、建物Ｈを保温する断熱効果がやや弱い場合がある。したがって、必要に応じて通気口の配設することで空気層Ｗの通気性を確保しつつ、例えば、特に断熱効果を高めたい部屋の周囲や床下などに断熱部材５を配設して空気の流れを遮断して断熱性を高めることができる。
【００３６】
本発明の建物の断熱構造は、以上の実施形態に限定されるものではない。例えば、通気口の構造、配設位置、配設数などは適宜設計することができる。また、本発明の建物の断熱構造に使用される断熱部材は、空気の流れが遮断された複数の区画を形成することが可能であればよく、形状、区画の大きさ（縦、横長さなど）などは特に限定されるものではない。また、断熱部材に遮熱塗料を塗布して断熱効果を高めることもできる。
【符号の説明】
【００３７】
１    内側外装材
２    外側外装材
３    遮熱塗料
４    通気口
５    断熱部材
Ｈ    建物
Ｓ    区画
【図１】
2014037731.tif 000003
【図２】
2014037731.tif 000004
【図３】
2014037731.tif 000005
【図４】
2014037731.tif 000006